(57)【要約】      （修正有）【課題】球体を使用して、安全に、簡単に足腰のひねりも考慮した運動を実現できる簡易足腰運動具を提供する。【解決手段】球体２と、その球体の一部分を包むカバー３と、カバーから球体が外れるのを防ぐガード４を設け、カバー内部に球体の回転を円滑にするベアリング１０を設け、カバーの外側に左右対称位置に設けた一対のシャフト５，５’にそれぞれ回転可能なスリーブ７，７’を軸通し、スリーブに設けたプレート８，８’に着脱容易な履物９を設けたものである。【選択図】図１
0003117234.tif 000002
【実用新案登録請求の範囲】
【請求項１】
球体と、当該球体に沿って一部分を包むカバーと、該カバーの内側に設けたベアリングと、前記カバー縁周に設けたガードと、前記カバー外側の対称位置に設けた一対のシャフトと、該シャフトにそれぞれ軸通した回転可能なスリーブと、該スリーブに設けたプレートと、該プレートに設けた着脱容易な履物とから構成されることを特徴とする簡易足腰運動器具。
【請求項２】
前記球体の一部分を包むカバーは、当該球体の上半分を包む半球殻状カバーからなり、該半球殻状カバー外側頂上にハンドルを設けたことを特徴とする請求項１の簡易足腰運動器具。
【請求項３】
前記球体の一部分を包むカバーは、当該球体の側面を包む円筒形状カバーからなることを特徴とする請求項１の簡易足腰運動器具。
【考案の詳細な説明】
【技術分野】
【０００１】  本考案は、室内で椅子に座った状態、あるいは仰向けになった状態で足腰の運動を容易に行うことができる簡易運動器具に関するものである。
【背景技術】
【０００２】  従来、ローラー等を使用して床面を滑動させる足腰の運動器具は、下記文献１〜４等に開示されている。文献１は、扁平な板状基台の下にキャスターを設けたものであり、文献２は、履物状本体の底部にスプリングにより出退可能なローラーを設けたものである。文献３は、いわゆる「金魚運動」の名称で呼ばれているもので、両足首を載せ、動力で左右に揺動させるものである。文献４は、ローラースケート状に、靴の踵部分だけの形状の底にボールローラーを４個配設したものである。
【文献１】
特開２００５−１６０９０２号
【文献２】
特開２０００−１８５１１２号
【文献３】
実用新案登録第３０１００７４号
【文献４】
特開平０９−２５３２６９号
【考案の開示】
【考案が解決しようとする課題】
【０００３】  上記文献１〜４に開示されているものはすべて平面的な移動により、足腰の運動を行うものであり、足首が横になった状態、いわゆる「ひねり」の状態は使用できない不具合が存在する。【０００４】  本考案は、このような従来の構成が有していた問題を解決しようとするものである。球体を使用して、安全に、簡単に足腰のひねりも考慮した運動を実現することを目的とするものである。
【課題を解決するための手段】
【０００５】  本考案は、上記目的を達成するために、球体と、その球体の一部分を包むカバーと、カバーから球体が外れるのを防ぐガードを設け、カバー内部に球体の回転を円滑にするベアリングを設け、カバーの外側に左右対称位置に設けた一対のシャフトにそれぞれ回転可能なスリーブを軸通し、スリーブに設けたプレートに着脱容易な履物を設けたものである。
【考案の効果】
【０００６】  上記のように、本考案の簡易足腰運動器具は、球体を使用してその両側に着脱可能な履物を装着することにより、足先部分を固定して、椅子に座った状態あるいは、仰向けになった状態で、自由に球体を前後、左右回転させ、ひねりも可能な運動を実施することが可能になり、足腰のトレーニング、病後のリハビリ等に非常に有効である。
【考案を実施するための最良の形態】
【０００７】  球体に沿って、その外側一部分を、カバーで包み、カバーの中で球体が滑らかに回転するように、カバーの内部にスラストベアリングを設ける。カバーの縁周には、球体がカバーから外れるのを防止するガードを設ける。【０００８】  カバー外側の対称位置に一対のシャフトを設け、そのシャフトにそれぞれ回転可能なスリーブを軸通し、スリーブに設けた２箇所の切り欠きを、シャフトに設けた固定ピンに係止させ角度調節が出来るようにする。【０００９】  スリーブにはプレートを設け、プレートの上に着脱容易な履物を設ける。
【実施例】
【００１０】  以下、添付図面１〜９に沿って請求項２の実施例１及び、請求項３の実施例２を説明する。先ず、請求項２の実施例１を説明する。図１において、球体２は、硬質プラスチック、木等の素材で、直径３００〜４００ミリ程度の中空とする。半球を２つ接合して製作する。【００１１】  球体２の上半分をカバーする半球殻状カバー３は、硬質プラスチック又は木で製作し、半球殻状カバー３縁周には、球体２の外れ防止のガード４をネジで固定する。半球殻状カバー３の縁の内側を、図３のように削り、ガード４の断面は、削った半球殻状カバー３の縁の内側の接合できる形状とし、先端部分は半球殻状カバー３の内側を向く形状とする。【００１２】  図１のように、半球殻状カバー３の内側天井に１個、天井から半球殻状カバー３の縁に沿った内側面の中間部分に、円周で等間隔に３〜４個のベアリングベース１１をネジで固定し、図４、図５のように、それぞれにスラストベアリング１０をリテーナー１７により固定する。【００１３】  半球殻状カバー３の外側頂上には、図１のように、持ち運び用のプラスチック製または金属製のハンドル６をネジで固定する。【００１４】  図１のように、半球殻状カバー３の縁近傍外側の対称位置に一対の金属製シャフト５，５’のフランジ部１６をネジで固定する。図６のように、シャフト５，５’に、切欠きを２箇所設けたスリーブ７，７’を軸通する。２箇所の切欠き１４，１４’は、円周上で９０度の間隔で設けられ、シャフト５，５’に設けられた固定ピン１５に、後方に設けられたスプリング１２により押されて常に係止するような形状とする。シャフト５，５’の端末にはネジが切ってあり、座金１８とナット１３でスプリング１２を支えている。【００１５】  スリーブ７，７’には、プラスチックあるいは金属製のプレート８，８’が、ネジあるいは溶接等により固定されている。図６のようにプレート８，８‘の上には、マジックテープ等を用いた、踵受けの付いた着脱容易なサンダル等の履物９が固定されている。【００１６】  次に請求項３の実施例２について説明する。図９のように球体２の側面を包む円筒形状カバー１９は、硬質プラスチック又は木で製作し、円筒形状カバー１９の内面円周上で等間隔に３〜４個のベアリングベース１１をネジで固定し、図４、図５のように、それぞれにスラストベアリング１０をリテーナー１７により固定する。【００１７】  円筒形状カバー１９の両縁の内側を、図３のように削り、ガード４の断面は、削った半球殻カバー３の縁の内側の接合できる形状とし、先端部分は半球殻３の内側を向く形状とし、球体２が円筒形状カバー１９の両縁から外れるのを防止する。【００１８】  図９のように、円筒形状カバー１９の外側には、上述した実施例１と同様に、対称位置に一対の金属製シャフト５，５’のフランジ部１６をネジで固定する。図６のように、シャフト５，５’に、切欠きを２箇所設けたスリーブ７，７’を軸通する。２箇所の切欠き１４，１４’は、円周上で９０度の間隔で設けられ、シャフト５，５’に設けられた固定ピン１５に、後方に設けられたスプリング１２により押されて常に係止するような形状とする。シャフト５，５’の端末にはネジが切ってあり、座金１８とナット１３でスプリング１２を支えている。【００１９】  スリーブ７，７’には、プラスチックあるいは金属製のプレート８，８’が、ネジあるいは溶接等により固定されている。図６のようにプレート８，８‘の上には、マジックテープ等を用いた、踵受けの付いた着脱容易なサンダル等の履物９が固定されている。【００２０】  本考案は上記のような構成からなるが、実施例１の使用法は次の通りである。
椅子又はベット等に座って使用する場合は、図７のように、プレート８，８’の角度は床面と平行になるように、スリーブ７，７’により設定し、両足に履物９を付属のマジックテープ等で固定し、足を前後、左右、ひねり等の運動をすることができる。また床に仰向けになって使用する場合は図８のように、スリーブ７，７’をスプリング１２の方向に押して、切欠き１４と固定ピン１５の係止を開放し、プレート８，８’の角度を９０度回転させて、再度切欠き１４と固定ピン１５を係合し、いすに座って使用する場合と同様に、履物９を足に固定して使用する。実施例１の使用法について記述したが、実施例２についても全く同様に使用できる。【００２１】  本考案の実施例は上述のようであるが、球体２を透明な素材で造り、その壁面に穴を開けて中に砂を入れたり、色水を入れたりして栓をし、砂音、波の音等を楽しみながら、リラックスしながら運動することも可能である。
また、実施例１の、ハンドル６は持ち運び用として取り付けてあるが、写真機に取り付ける三脚、あるいは伸縮可能なステッキの機構を追加すれば、使用する時に伸ばして舵取り棒として楽しむこともできる。スリーブ７，７’は、上述の２つの実施例では９０度毎に切欠１４，１４’を設けた構造としたが、スリーブ７，７’端末円周上に多数の切欠きを設ければ、プレート８，８’を多様な角度に設定して運動をすることが可能である。実施例２の円筒形状カバー１９の外形を球体２に沿う樽型形状にすれば見栄えを向上することができる。また履物９は、簡単に着脱できることを考慮したため、マジックテープを使用したサンダル等を実施例として採用したが、プレート８，８’に直接、又は板を固定し、足の踵の接する部分に穴を開け、足先の甲の接する部分にマジックテープを使用した足止め等を設けた構成とすることも可能である。
【図面の簡単な説明】
【００２２】
【図１】本考案実施例１の正面図
【図２】本考案実施例１の側面図
【図３】ガード取り付け詳細図
【図４】ベアリングベース平面図
【図５】ベアリングベース側面図（図４のＡ−Ａ断面視）
【図６】シャフトースリーブ詳細図
【図７】使用例――椅子に座って使用する場合
【図８】使用例――仰向けになって使用する場合
【図９】本考案実施例２の正面図
【符号の説明】
【００２３】      １      簡易足腰運動器具
２      球体
３      半球殻状カバー
４      ガード
５，５’シャフト
６      ハンドル
７，７’スリーブ
８，８’プレート
９      履物
１０      ベアリング（スラストベアリング）
１１      ベアリングベース
１２      スプリング
１３      ナット
１４      切欠き
１５      固定ピン
１６      シャフトフランジ部
１７      リテーナ
１８      座金
１９      円筒形状カバー
【図１】
0003117234.tif 000003
【図２】
0003117234.tif 000004
【図３】
0003117234.tif 000005
【図４】
0003117234.tif 000006
【図５】
0003117234.tif 000007
【図６】
0003117234.tif 000008
【図７】
0003117234.tif 000009
【図８】
0003117234.tif 000010
【図９】
0003117234.tif 000011